(57)【要約】【課題】入力される映像信号の状態による誤検出を回避し、映像信号の映像ソースに最適な画質調整を実施することができる映像表示装置及び映像表示方法を提供する。【解決手段】映像表示装置は、入力される映像信号のフレーム間差分に基づいて映像種別を検出する映像処理部と、映像種別に基づいて画質調整設定値を決定する自動画質調整部と、画質調整設定値に基づいて、映像信号の輝度エンハンサ制御、色温度設定するためのＲＧＢゲイン制御、ブライト制御、色エンハンサ制御、色ゲイン・色調制御、非線形コントラスト制御のうちいずれか若しくは、複数の組み合わせをから成る画質調整を行い表示用映像信号を出力する画質処理部と、表示用映像信号を受信して映像を表示する表示部とを有し、画質処理部は、画質調整設定値に基づいて表示部のバックライトを制御する。【選択図】図２
2009206613.tif 000002
【特許請求の範囲】
【請求項１】
入力される映像信号のフレーム間差分に基づいて映像種別を検出する映像処理部と、
前記映像種別に基づいて画質調整設定値を決定する自動画質調整部と、
前記画質調整設定値に基づいて、前記映像信号の輝度エンハンサ制御、色温度設定するためのＲＧＢゲイン制御、ブライト制御、色エンハンサ制御、色ゲイン・色調制御、非線形コントラスト制御のうちいずれか若しくは、複数の組み合わせをから成る画質調整を行う画質処理部とを有することを特徴とする映像表示装置。
【請求項２】
入力される映像信号のフレーム間差分に基づいて映像種別を検出する映像処理部と、
前記映像種別に基づいて画質調整設定値を決定する自動画質調整部と、
前記画質調整設定値に基づいて、前記映像信号の輝度エンハンサ制御、色温度設定するためのＲＧＢゲイン制御、ブライト制御、色エンハンサ制御、色ゲイン・色調制御、非線形コントラスト制御のうちいずれか若しくは、複数の組み合わせをから成る画質調整を行い表示用映像信号を出力する画質処理部と、
前記表示用映像信号を受信して映像を表示する表示部とを有し、
前記画質処理部は、前記画質調整設定値に基づいて前記表示部のバックライトを制御することを特徴とする映像表示装置。
【請求項３】
前記映像処理部は、前記映像信号として静止画が入力された場合、予め定めた映像種別であると判断することを特徴とする請求項１又は２に記載の映像表示装置。
【請求項４】
前記映像処理部は、前記映像信号として静止画が入力された場合、前記静止画の入力前に検出された映像種別であると判断することを特徴とする請求項１又は２に記載の映像表示装置。
【請求項５】
前記映像表示装置は、前記映像種別に基づいて前記映像信号に付随する音声信号のイコライザー制御、サラウンド制御、低音補正制御のうちいずれか若しくは複数の組み合わせから成る音質調整を行う音声処理部をさらに有することを特徴とする請求項１又は２に記載の映像表示装置。
【請求項６】
入力される映像信号に基づいて映像種別を検出する映像種別検出ステップと、
前記映像種別に基づいて画質調整設定値を決定する自動画質調整決定ステップと、
前記画質調整設定値に基づいて、前記映像信号の輝度エンハンサ制御、色温度設定するためのＲＧＢゲイン制御、ブライト制御、色エンハンサ制御、色ゲイン・色調制御、非線形コントラスト制御のうちいずれか若しくは、複数の組み合わせをから成る画質調整を行い表示用映像信号を出力する画質調整ステップと、
前記表示用映像信号を受信して映像を表示する表示ステップと、
前記画質調整設定値に基づいて表示部のバックライトを制御する表示制御ステップとを有することを特徴とする映像表示方法。
【発明の詳細な説明】
【技術分野】
【０００１】
本発明は、映像表示装置及び映像表示方法に関する。
【背景技術】
【０００２】
従来の技術として、入力される映像信号が映画フィルムソースである場合、映像信号に対して映画フィルムソースに適したガンマ補正を行う映像表示装置がある（例えば、特許文献１参照）。
【０００３】
この映像表示装置は、入力される映像信号から、例えば、２−３プルダウン処理された映画フィルムソースを検出する映画フィルムソース検出部と、映像信号に対して映像ソースに適したガンマ補正を実施するガンマ補正部とを有し、映画フィルムソース検出部が映像信号から映画フィルムソースを検出した場合に、ガンマ補正部は、映像信号に対して映画フィルムソースに適したガンマ補正を実施するため、映像信号に対して自動で最適なガンマ補正を実施することができる。
【特許文献１】特開２００１−１６９１４３号公報
【発明の開示】
【発明が解決しようとする課題】
【０００４】
しかし、従来の映像表示装置によると、映像信号に対して実施されるのはガンマ補正のみであり、例えば、ＬＣＤ（Ｌｉｑｕｉｄ  Ｃｒｙｓｔａｌ  Ｄｉｓｐｌａｙ）等のバックライト明度等を調整することに関しては記載がなく、映像ソースに最適な画質調整が必ずしも達成できないという問題がある。また、ＤＶＤ（Ｄｉｇｉｔａｌ  Ｖｅｒｓａｔｉｌｅ  Ｄｉｓｃ）プレーヤーやＨＤＤ（Ｈａｒｄ  Ｄｉｓｃ  Ｄｒｉｖｅ）プレーヤー等の映像再生装置から映像信号が入力される場合、映像再生装置において、例えば、一時停止等の操作がなされると、映像表示装置には静止画を表示するための映像信号が入力されるため、例え映像信号が２−３プルダウン処理された映画フィルムソースであっても映画フィルムソース検出部はそれを検出できず、他の映像ソースであると判断する誤検出が生じるという問題がある。
【０００５】
従って、本発明の目的は、入力される映像信号の状態による誤検出を回避し、映像信号の映像ソースに最適な画質調整を実施することができる映像表示装置及び映像表示方法を提供することにある。
【課題を解決するための手段】
【０００６】
（１）本発明は上記目的を達成するため、入力される映像信号のフレーム間差分に基づいて映像種別を検出する映像処理部と、前記映像種別に基づいて画質調整設定値を決定する自動画質調整部と、前記画質調整設定値に基づいて、前記映像信号の輝度エンハンサ制御、色温度設定するためのＲＧＢゲイン制御、ブライト制御、色エンハンサ制御、色ゲイン・色調制御、非線形コントラスト制御のうちいずれか若しくは、複数の組み合わせをから成る画質調整を行う画質処理部とを有することを特徴とする映像表示装置を提供する。
【０００７】
上記した構成によれば、入力される映像信号の映像ソースを利用者が判断することなく、自動で判断し、映像ソースに最適な画質調整を実施することができる。
【０００８】
（２）また、本発明は上記目的を達成するため、入力される映像信号のフレーム間差分に基づいて映像種別を検出する映像処理部と、前記映像種別に基づいて画質調整設定値を決定する自動画質調整部と、前記画質調整設定値に基づいて、前記映像信号の輝度エンハンサ制御、色温度設定するためのＲＧＢゲイン制御、ブライト制御、色エンハンサ制御、色ゲイン・色調制御、非線形コントラスト制御のうちいずれか若しくは、複数の組み合わせをから成る画質調整を行い表示用映像信号を出力する画質処理部と、前記表示用映像信号を受信して映像を表示する表示部とを有し、前記画質処理部は、前記画質調整設定値に基づいて前記表示部のバックライトを制御することを特徴とする映像表示装置を提供する。
【０００９】
上記した構成によれば、（１）の効果に加え、画質処理部は、表示部の表示を制御するため、より幅広い映像ソースに対応することができる。
【００１０】
（３）また、本発明は上記目的を達成するため、入力される映像信号に基づいて映像種別を検出する映像種別検出ステップと、前記映像種別に基づいて画質調整設定値を決定する自動画質調整決定ステップと、前記画質調整設定値に基づいて、前記映像信号の輝度エンハンサ制御、色温度設定するためのＲＧＢゲイン制御、ブライト制御、色エンハンサ制御、色ゲイン・色調制御、非線形コントラスト制御のうちいずれか若しくは、複数の組み合わせをから成る画質調整を行い表示用映像信号を出力する画質調整ステップと、前記表示用映像信号を受信して映像を表示する表示ステップと、前記画質調整設定値に基づいて表示部のバックライトを制御する表示制御ステップとを有することを特徴とする映像表示方法を提供する。
【００１１】
上記した方法によれば、（２）と同様の効果を有する映像表示方法を達成できる。
【発明の効果】
【００１２】
本発明によれば、入力される映像信号の状態による誤検出を回避し、映像ソースに最適な画質調整を実施することができる。
【発明を実施するための最良の形態】
【００１３】
以下に、本発明の映像表示装置及び映像表示方法の実施の形態を、図面を参照して詳細に説明する。
【００１４】
（映像表示装置の構成）
図１は、本発明の実施の形態に係る映像表示装置を示す概略図である。
【００１５】
映像表示装置１は、図示しないアンテナを介して外部よりデジタル放送波等を受信して映像を表示したり、図示しないＨＤＤレコーダーやＤＶＤプレイヤー等の映像再生装置から映像信号を受信して映像を表示するテレビ受像器等であって、前面に映像を表示するＬＣＤ等から構成される映像表示部１４と、音声を出力するスピーカ部１６と、複数の操作スイッチを有するリモコン１Ａから送信される赤外線を用いた操作信号を受光する受光部２１と、外部環境の照度を測定するフォトダイオード等から構成される光センサ２２とを有する。また、映像表示装置１は、背面に図示しないアンテナ端子、外部入力端子及び複数のスイッチからなる操作部等を有し、本体内部には映像信号や音声信号を処理したり各部を制御するためのＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）及びＨＤＤ等からなる電子部品を有する。
【００１６】
図２は、本発明の実施の形態に係る映像表示装置の構成例を示すブロック図である。
【００１７】
映像表示装置１は、デジタル放送局２から送信される放送信号を受信するデジタル放送受信部１０を備えており、デジタル放送受信部１０は信号処理部１１に接続されている。信号処理部１１は、音声処理部１５と映像処理部１２とに接続されており、受信した放送信号を音声信号と映像信号に分離し、音声信号を音声処理部１５に出力し、映像信号を映像処理部１２に出力する。
【００１８】
音声処理部１５はスピーカ部１６に接続され、映像処理部１２は画質を調整する画質処理部１３を介してＣＲＴや液晶表示パネル等で構成される映像表示部１４に接続されている。また、音声処理部１５は、入力された音声信号の音質調整を行う。画質処理部１３は、入力された映像信号を画質調整するとともに、映像表示部１４のバックライト制御調整を行う。
【００１９】
また、映像表示装置１は、図示しない外部入力端子に接続された映像再生装置３から送信される映像信号及び音声信号を受信する映像アナログ／デジタル変換器（Ａ／Ｄ）１７及び音声Ａ／Ｄ１８を有し、映像Ａ／Ｄ１７及び音声Ａ／Ｄ１８に入力された映像信号及び音声信号はアナログ信号からデジタル信号へと変換され、それらの出力はそれぞれ映像処理部１２及び音声処理部１５に接続される。
【００２０】
また、映像表示装置１は、図２において点線で示された制御線を介して各部を制御する制御部１９を有し、制御部１９には操作スイッチ等から構成される操作部２０と、リモコン１Ａの赤外線の操作信号を受光する受光部２１と、外部環境の照度を測定する光センサ２２とが接続される。
【００２１】
制御部１９は、各部を制御するためのプログラム等を格納するＲＯＭ１９Ａと、一時的に情報を格納して制御部１９の動作を補助するＲＡＭ１９Ｂと、自動画質調整部１９０及び利用者画質調整部１９１とを有する。
【００２２】
自動画質調整部１９０は、映像処理部１２が入力した映像信号を解析して出力する映像種別に基づいて画質調整設定値を決定するとともに、光センサ２２において計測される外部環境照度に基づいて画質調整設定値を決定し、決定した画質調整設定値に基づいて画質処理部１３を制御する。なお、自動画質調整部１９０は、映像情報のフィールド単位の時間間隔で動作し、ダイナミックに入力する映像情報の画質を調整する。また、自動画質調整部１９０は、画質調整設定値とともに音質調整設定値を決定し、決定した音質調整設定値に基づいて音声処理部１５を制御する。ここで、画質調整とは、輝度エンハンサ制御、色温度設定するためのＲＧＢゲイン制御、ブライト制御、色エンハンサ制御、色ゲイン・色調制御、非線形コントラスト制御のうちいずれか若しくは、複数の組み合わせを示す。また、音質調整とはイコライザー制御、サラウンド制御、低音補正制御のうちいずれか若しくは複数の組み合わせを示す。
【００２３】
利用者画質調整部１９１は、操作部２０又は受光部２１において受信する操作信号に基づいて画質調整設定値又は音質調整設定値を決定し、決定した画質調整設定値に基づいて画質処理部１３を制御するとともに、決定した音質調整設定値に基づいて音声処理部１５を制御する。なお、利用者画質調整部１９１は、例えば、画質調整用のメニュー（図示せず）を表示し、画質調整調整操作終了後は画質調整用のメニューにおいて決定した画質調整設定値を常時適用する。
【００２４】
図３Ａは、本発明の実施の形態に係る画質処理部の構成例を示す概略図である。
【００２５】
画質処理部１３は、映像信号としてコンポーネント信号が入力され、輝度信号Ｙを処理する輝度エンハンサ１３０と、非線形コントラスト１３１と、ブライト１３２と、色差信号Ｐｂ及びＰｒを処理する色エンハンサ１３３と、色ゲイン色調１３４とを有し、各部で信号処理された輝度信号Ｙと色差信号ＣとをＲＧＢ信号に変換するマトリックス１３５と、色温度設定のためＲＧＢ信号のゲインを調整して映像表示部１４に出力するＲＧＢゲイン１３６とを有する。
【００２６】
輝度エンハンサ１３０は、輝度信号Ｙに輪郭補正を実施して鮮明さを強調し、自動画質調整部１９０の画質調整設定値を動的に反映し、利用者画質調整部１９１の画質調整設定値を静的に反映する。非線形コントラスト１３１は、自動画質調整部１９０の画質調整設定値を動的に反映して非線形のコントラスト調整を実施する。ブライト１３２は、自動画質調整部１９０の画質調整値を反映して動的に輝度信号の値を調整し、利用者画質調整部１９１の画質調整値を反映して静的に輝度信号の値を調整する。
【００２７】
色エンハンサ１３３は、色差信号Ｐｂ及びＰｒに輪郭補正を実施して鮮明さを強調し、自動画質調整部１９０の画質調整設定値を動的に反映し、利用者画質調整部１９１の画質調整設定値を静的に反映する。色ゲイン色調１３４は、色差信号の色ゲインを調整し、自動画質調整部１９０の画質調整設定値を動的に反映し、利用者画質調整部１９１の画質調整設定値を静的に反映する。なお、画質処理部１３の構成は、上記に限らず適宜構成を追加してもよい。
【００２８】
図３Ｂは、本発明の実施の形態に係る音声処理部の構成例を示す概略図である。
【００２９】
音声処理部１５は、音声信号が入力され、５バンドで１００Ｈｚ／３３０Ｈｚ／１ｋＨｚ／３．３ｋＨｚ／１０ｋＨｚの帯域を調整するイコライザー１５０と、ワイドサラウンド又はシネマサラウンドを切り替えるサラウンド処理１５１と、周波数とレベルが可変の低音補正１５２と、音声信号の振幅をノーマライズする自動レベル補正１５３と、スピーカ部１６の特性に合わせて調整するパラメトリックイコライザー１５４と、音量設定値により音声信号のゲインを決定する音量コントロール１５５と、音声信号をデジタルからアナログへと変換してスピーカ部１６に出力するデジタル／アナログ変換器（Ｄ／Ａ）１５６とを有する。
【００３０】
イコライザー１５０、音量コントロール１５５は、利用者画質調整部１９１の音質調整設定値を反映することができるが、他の各部は、自動画質調整部１９０の音質調整設定値のみを反映して動作する。なお、音声処理部１５の構成は、上記に限らず適宜構成を追加してもよい。
【００３１】
（動作）
以下に、本発明の実施の形態における電子機器の動作を各図を参照しつつ説明する。
【００３２】
デジタル放送局２から送信されたデジタル放送波は、図示しないアンテナを介してデジタル放送受信部１０に入力される。
【００３３】
デジタル放送受信部１０では、地上波デジタル放送の変調方式に対応した復調器（図示せず）によって受信信号を復調し、例えば、ＭＰＥＧ２の規格に基づいたデータ列（トランスポートストリーム）を抽出し信号処理部１１へ出力する。
【００３４】
信号処理部１１へ入力されたデータ列（トランスポートストリーム）は、例えばＭＰＥＧ２デコーダ（図示せず）によって音声信号（デジタル）と映像信号（デジタル）とに分離され、音声信号は音声処理部１５へ、また映像信号は映像処理部１２へそれぞれ出力される。
【００３５】
映像処理部１２では、入力された映像信号（デジタル）のフレーム間差分を検出して映像ソースが２−３プルダウン処理された映画フィルムソースか、それ以外の通常の映像ソースか、又は静止画を検出するとともに、検出結果としての映像種別信号を自動画質調整部１９０へ出力する。
【００３６】
自動画質調整部１９０は、映像種別信号に基づいて画質調整設定値及び音質調整設定値を決定する。また、利用者画質調整部１９１は、操作部２０又はリモコン１Ａの操作内容に基づいて画質調整設定値及び音質調整設定値を決定する。
【００３７】
次に、画質処理部１３は、画質調整設定値に基づいて映像信号を画質調整した後、必要に応じてアナログ信号等に変換してＣＲＴやＬＣＤ等で構成される映像表示部１４へ出力する。
【００３８】
音声処理部１５では、入力された音声信号（デジタル）を音質調整設定値に基づいて音質調整した後、アナログ音声信号に変換する処理等を行って、スピーカ部１６へ出力する。
【００３９】
図４（ａ）及び（ｂ）は、本発明の実施の形態に係る映像表示装置の動作例を示すフローチャートである。
【００４０】
映像表示装置１の電源が投入された時点で、自動画質調整部１９０は、まず図４（ａ）に示すように、映像信号が映画フィルムソース以外の場合の画質調整設定値及び音質調整設定値によって画質処理部１３及び音声処理部１５を動作させる（Ｓ１）。
【００４１】
次に、映像処理部１２において同一のフィールドが連続して続くかどうか判定することにより静止画を検出し（Ｓ２）、静止画が検出されない場合（Ｓ２；Ｎｏ）、映像処理部１２は、続いて映画フィルムソースの検出を行う（Ｓ３）。ステップＳ２において、静止画が検出される場合（Ｓ２；Ｙｅｓ）、ステップＳ１に戻る。
【００４２】
ステップＳ３において、映画フィルムソースが検出される場合（Ｓ３；Ｙｅｓ）、図４（ｂ）に示すように、映像が映画フィルムソースの場合の画質調整設定値及び音質調整設定値によって画質処理部１３及び音声処理部１５を動作させる（Ｓ４）。映画フィルムソースが検出されない場合（Ｓ３；Ｎｏ）、ステップＳ１に戻る。
【００４３】
ステップＳ４の次に、映像処理部１２は、続いて映画フィルムソースを検出し（Ｓ５）、映画フィルムソースが検出されない場合（Ｓ５；Ｎｏ）、映像処理部１２は、続いて静止画の検出を行う（Ｓ６）。ステップＳ５において、映画フィルムソースが検出される場合（Ｓ５；Ｙｅｓ）、ステップＳ４に戻る。
【００４４】
ステップＳ６において、静止画が検出されない場合（Ｓ６；Ｎｏ）、図４（ａ）のステップＳ１に戻り、映像が映画フィルムソース以外の場合の画質調整設定値及び音質調整設定値によって画質処理部１３及び音声処理部１５を動作させる（Ｓ１）。また、静止画が検出される場合（Ｓ６；Ｙｅｓ）、ステップＳ４に戻る。
【００４５】
（実施の形態の効果）
上記した実施の形態によると、映像処理部１２は、静止画が検出された場合に図４に基づいて映像ソースを判別するため、自動画質調整部１９０は、映像ソースに基づいた正確な画質調整設定を行うことができる。
【００４６】
また、利用者画質調整部１９１が、画質処理部１３及び音声処理部１５の一部の調整を実施するのに対し、自動画質調整部１９０は、画質処理部１３及び音声処理部１５の多くの調整を実施するため、様々な映像ソースに対応して調整できるとともに、映像表示部１４のバックライトの照度制御を実施することができる。
【００４７】
なお、映像処理部１２の動作は図４に示したものに限らず、状況に応じて予め設定した動作にしてもよい。
【図面の簡単な説明】
【００４８】
【図１】本発明の実施の形態に係る映像表示装置を示す概略図である。
【図２】本発明の実施の形態に係る映像表示装置の構成例を示すブロック図である。
【図３Ａ】本発明の実施の形態に係る画質処理部の構成例を示す概略図である。
【図３Ｂ】本発明の実施の形態に係る音声処理部の構成例を示す概略図である。
【図４】（ａ）及び（ｂ）は、本発明の実施の形態に係る映像表示装置の動作例を示すフローチャートである。
【符号の説明】
【００４９】
１…映像表示装置、１Ａ…リモコン、２…デジタル放送局、３…映像再生装置、１０…デジタル放送受信部、１１…信号処理部、１２…映像処理部、１３…画質処理部、１４…映像表示部、１５…音声処理部、１６…スピーカ部、１７…映像Ａ／Ｄ、１８…音声Ａ／Ｄ、１９…制御部、１９Ａ…ＲＯＭ、１９Ｂ…ＲＡＭ、２０…操作部、２１…受光部、２２…光センサ、１３０…エンハンサ、１３１…コントラスト、１３２…ブライト、１３３…エンハンサ、１３４…色ゲイン色調、１３５…マトリックス、１３６…ゲイン、１５０…イコライザー、１５１…サラウンド処理、１５２…低音補正、１５３…自動レベル補正、１５４…パラメトリックイコライザー、１５６…Ｄ／Ａ、１５５…音量コントロール、１９０…自動画質調整部、１９１…利用者画質調整部
【図１】
2009206613.tif 000003
【図２】
2009206613.tif 000004
【図３Ａ】
2009206613.tif 000005
【図３Ｂ】
2009206613.tif 000006
【図４】
2009206613.tif 000007